【手続補正書】
【提出日】平成16年3月17日(2004.3.17)
【手続補正１】
【補正対象書類名】明細書
【補正対象項目名】特許請求の範囲
【補正方法】変更
【補正の内容】
【特許請求の範囲】
【請求項１】
圧電基板と、
前記圧電基板上に配置された、少なくとも一つの入力用ＩＤＴ電極と、
前記圧電基板上に配置された、少なくとも一つの出力用ＩＤＴ電極とを備え、
前記入力ＩＤＴ用電極及び前記出力用ＩＤＴ電極が弾性表面波の一つの伝播経路に沿って配置された縦結合モード型の弾性表面波フィルタであって、
前記入力用ＩＤＴ電極は複数の電極指のピッチを有し、
前記出力用ＩＤＴ電極は複数の電極指のピッチを有し、
前記入力用ＩＤＴ電極の複数の電極指のピッチのうちで電極指の本数が最も多い電極指のピッチと、前記出力用ＩＤＴ電極の複数の電極指のピッチのうちで電極指の本数が最も多い電極指のピッチが異なっており、
前記入力用ＩＤＴ電極及び前記出力用ＩＤＴ電極のうち、ＩＤＴ電極の電極指の本数がより多い方の電極指のピッチが、電極指の本数がより少ない方の電極指のピッチより大きい弾性表面波フィルタ。
【請求項２】
前記入力用ＩＤＴ電極は、第１及び第２の電極指のピッチを有し、
前記第１の電極指は前記入力用ＩＤＴの複数の電極指のピッチのうちで電極指の本数が最も多い電極指のピッチであり、
前記出力用ＩＤＴ電極は、第３及び第４の電極指のピッチを有し、
前記第３の電極指は前記出力用ＩＤＴの複数の電極指のピッチのうちで電極指の本数が最も多い電極指のピッチである請求項１記載の弾性表面波フィルタ。
【請求項３】
前記第２の電極指のピッチと、前記第４の電極指のピッチが異なっている請求項２記載の弾性表面波フィルタ。
【請求項４】
圧電基板と、
前記圧電基板上に配置された、少なくとも一つの入力用ＩＤＴ電極と、
前記圧電基板上に配置された、少なくとも一つの出力用ＩＤＴ電極とを備え、
前記入力ＩＤＴ用電極及び前記出力用ＩＤＴ電極が弾性表面波の一つの伝播経路に沿って配置された縦結合モード型の弾性表面波フィルタであって、
前記入力用ＩＤＴ電極は複数の電極指のピッチを有し、
前記出力用ＩＤＴ電極は複数の電極指のピッチを有し、
前記入力用ＩＤＴ電極の複数の電極指のピッチのうちで電極指の本数が最も多い電極指のピッチを有する部分のメタライゼーションレシオは、前記出力用ＩＤＴ電極の複数の電極指のピッチのうちで電極指の本数が最も多い電極指のピッチを有する部分のメタライゼーションレシオとが異なっている弾性表面波フィルタ。
【請求項５】
前記入力用ＩＤＴ電極及び前記出力用ＩＤＴ電極のうち、ＩＤＴ電極の電極指の本数がより多い方のメタライゼーションレシオが、より少ない方のメタライゼーションレシオより小さい請求項１記載の弾性表面波フィルタ。
【請求項６】
前記入力用ＩＤＴ電極の放射特性のピーク周波数は、前記出力用ＩＤＴ電極の放射特性のピーク周波数と実質上等しい請求項１〜４のいずれかに記載の弾性表面波フィルタ。
【請求項７】
前記入力用ＩＤＴ電極及び前記出力用ＩＤＴ電極のいずれか一方は、１対の対向する電極指である第１のＩＤＴ電極であり、
前記入力用ＩＤＴ電極及び前記出力用ＩＤＴ電極の他方は、前記第１のＩＤＴ電極の一方の側に配置された、１対の対向する電極指である第２のＩＤＴ電極と、前記第１のＩＤＴ電極の他方の側に配置された、１対の対向する電極指である第３のＩＤＴ電極とから構成され、
前記第１、第２、及び第３のＩＤＴ電極は、弾性表面波が伝搬する方向に沿って配置されており、
前記第１のＩＤＴ電極の放射特性のピーク周波数は、前記第２及び第３のＩＤＴ電極の放射特性のピーク周波数と実質上等しい請求項６記載の弾性表面波フィルタ。
【請求項８】
前記入力用ＩＤＴ電極及び前記出力用ＩＤＴ電極のいずれか一方はそれぞれ１対の対向する電極指である第１、第４、及び第５のＩＤＴ電極であり、
前記入力用ＩＤＴ電極及び前記出力用ＩＤＴ電極の他方は、それぞれ１対の対向する電極指である第２、及び第３のＩＤＴ電極であり、
前記第１のＩＤＴ電極の両側にそれぞれ前記第２及び第３のＩＤＴ電極が配置されており、
前記第２のＩＤＴ電極の前記第１のＩＤＴ電極とは反対側に前記第４のＩＤＴ電極が配置されており、
前記第３のＩＤＴ電極の前記第１のＩＤＴ電極とは反対側に前記第５のＩＤＴ電極が配置されており、
前記第１、第２、第３、第４、及び第５のＩＤＴ電極は、弾性表面波が伝搬する方向に沿って配置されており、
少なくとも前記第１のＩＤＴ電極の群と、前記第４及び第５のＩＤＴ電極の群と、前記第２及び第３のＩＤＴ電極の群とのうちいずれか２つ以上の群のＩＤＴ電極の放射特性のピーク周波数が実質上等しい請求項６記載の弾性表面波フィルタ。
【請求項９】
圧電基板と、
前記圧電基板上に配置された少なくとも一つの入力用ＩＤＴ電極と、
前記圧電基板上に配置された少なくとも一つの出力用ＩＤＴ電極とを備え、
前記入力用ＩＤＴ電極及び前記出力用ＩＤＴ電極が弾性表面波の一つの伝播経路に沿って配置される縦モード型弾性表面波フィルタであって、
前記入力用ＩＤＴ電極と前記出力用ＩＤＴ電極のピッチが互いに異なり、
前記入力用ＩＤＴ電極と前記出力用ＩＤＴ電極の電極膜厚が互いに異なっている弾性表面波フィルタ。
【請求項１０】
圧電基板と、
前記圧電基板上に配置された少なくとも一つの入力用ＩＤＴ電極と、
前記圧電基板上に配置された少なくとも一つの出力用ＩＤＴ電極とを備え、
前記入力用ＩＤＴ電極及び前記出力用ＩＤＴ電極が弾性表面波の一つの伝播経路に沿って配置される縦モード型弾性表面波フィルタであって、
前記入力用ＩＤＴ電極と前記出力用ＩＤＴ電極のピッチが互いに異なり、
前記入力用ＩＤＴ電極と前記出力用ＩＤＴ電極の電極材料が互いに異なっている弾性表面波フィルタ。
【請求項１１】
圧電基板と、
前記圧電基板上に配置された少なくとも一つの入力用ＩＤＴ電極と、
前記圧電基板上に配置された少なくとも一つの出力用ＩＤＴ電極とを備え、
前記入力用ＩＤＴ電極及び前記出力用ＩＤＴ電極が弾性表面波の一つの伝播経路に沿って配置される縦モード型弾性表面波フィルタであって、
前記入力用ＩＤＴ電極と前記出力用ＩＤＴ電極のピッチは互いに異なり、
前記入力用ＩＤＴ電極と前記出力用ＩＤＴ電極は、１対の対向する電極指である第１、第２、及び第３のＩＤＴ電極により構成され、
前記第２及び前記第３のＩＤＴ電極は、前記第１のＩＤＴ電極の両側に配置され、
前記第１、前記第２、及び前記第３のＩＤＴ電極は弾性表面波の伝播方向に沿って配置され、
前記第１のＩＤＴ電極のメタライゼーションレシオと、前記第２と前記第３のＩＤＴ電極のメタライゼーションレシオとが実質上等しく、
前記第１のＩＤＴ電極の電極指の本数は、前記第２及び第３の電極指の本数より多い弾性表面波フィルタ。
【請求項１２】
圧電基板と、
前記圧電基板上に配置された少なくとも一つの入力用ＩＤＴ電極と、
前記圧電基板上に配置された少なくとも一つの出力用ＩＤＴ電極とを備え、
前記入力用ＩＤＴ電極及び前記出力用ＩＤＴ電極が弾性表面波の一つの伝播経路に沿って配置される縦モード型弾性表面波フィルタであって、
前記入力用ＩＤＴ電極と前記出力用ＩＤＴ電極のピッチは互いに異なり、
前記入力用ＩＤＴ電極と前記出力用ＩＤＴ電極は、１対の対向する電極指である第１、第２、及び第３のＩＤＴ電極により構成され、
前記第２及び前記第３のＩＤＴ電極は、前記第１のＩＤＴ電極の両側に配置され、
前記第１、前記第２、及び前記第３のＩＤＴ電極は弾性表面波の伝播方向に沿って配置され、
前記第１のＩＤＴ電極のメタライゼーションレシオと前記第２のＩＤＴ電極のメタライゼーションと前記第３のＩＤＴ電極のメタライゼーションレシオとは、互いに異なっている弾性表面波フィルタ。
【請求項１３】
前記圧電基板には、前記第１、第２、第３のＩＤＴ電極及び、前記第１、第２の反射器電極を有するフィルタトラックが複数個形成されており、複数の前記フィルタトラックは、協同して一つのフィルタとして機能する請求項７記載の弾性表面波フィルタ。
【請求項１４】
圧電基板と、
前記圧電基板上に配置された少なくとも一つの入力用ＩＤＴ電極と、
前記圧電基板上に配置された少なくとも一つの出力用ＩＤＴ電極とを備え、
前記入力用ＩＤＴ電極及び前記出力用ＩＤＴ電極が弾性表面波の一つの伝播経路に沿って配置される縦モード型弾性表面波フィルタであって、
前記入力用ＩＤＴ電極と前記出力用ＩＤＴ電極のピッチは互いに異なり、
前記入力用ＩＤＴ電極と前記出力用ＩＤＴ電極は、１対の対向する電極指である第１、第２、及び第３のＩＤＴ電極により構成され、
前記第２及び前記第３のＩＤＴ電極は、前記第１のＩＤＴ電極の両側に配置され、
前記第１、前記第２、及び前記第３のＩＤＴ電極は弾性表面波の伝播方向に沿って配置され、
前記基板上には、前記第１、第２、及び第３のＩＤＴ電極及び、第１、第２の反射器電極を有するフィルタトラックが複数個形成されており、
前記複数のフィルタトラックは、協同して一つのフィルタとして機能し、
前記複数のフィルタトラックのそれぞれは、前記複数のフィルタトラックのうちの他のフィルタトラックと実質上同じ構成を持つ弾性表面波フィルタ。
【請求項１５】
前記複数のフィルタトラックのうち少なくとも１つ以上のフィルタトラックは、前記複数のフィルタトラックのうちの他のフィルタトラックと異なった構成を持つ請求項１３記載の弾性表面波フィルタ。
【請求項１６】
前記圧電基板上の前記第２のＩＤＴ電極の前記第１のＩＤＴ電極が配置されている側とは反対側に配置された第１の反射器電極と、
前記圧電基板上の前記第３のＩＤＴ電極の前記第１のＩＤＴ電極が配置されている側とは反対側に配置された第２の反射器電極とを備え、
前記第１、第２、及び第３のＩＤＴ電極、及び前記第１及び第２の反射器電極は、弾性表面波が伝搬する方向に沿って配置されている請求項７記載の弾性表面波フィルタ。
【請求項１７】
送信波を出力する送信回路と、
受信波を入力する受信回路とを備え、
前記送信回路および／または前記受信回路に請求項１記載の弾性表面波フィルタが用いられている通信機器。
【請求項１８】
送信波を出力する送信回路と、
受信波を入力する受信回路とを備え、
前記送信回路および／または前記受信回路に請求項２記載の弾性表面波フィル
タが用いられている通信機器。
【請求項１９】
圧電基板と、
前記圧電基板上に配置された、少なくとも一つの入力用ＩＤＴ電極と、
前記圧電基板上に配置された、少なくとも一つの出力用ＩＤＴ電極とを備え、
前記入力ＩＤＴ用電極及び前記出力用ＩＤＴ電極が弾性表面波の一つの伝播経路に沿って配置された縦結合モード型の弾性表面波フィルタであって、
前記入力用ＩＤＴ電極は複数の電極指のピッチを有し、
前記出力用ＩＤＴ電極は複数の電極指のピッチを有し、
前記入力用ＩＤＴ電極の複数の電極指のピッチのうちで電極指の本数が最も多い電極指のピッチを有する部分の放射特性のピーク周波数は、前記出力用ＩＤＴ電極の複数の電極指のピッチのうちで電極指の本数が最も多い電極指のピッチを有する部分の放射特性のピーク周波数と実質上等しいか、または、
前記入力用ＩＤＴ電極の放射特性のピーク周波数は、前記出力用ＩＤＴ電極の放射特性のピーク周波数と実質上等しい弾性表面波フィルタ。
【請求項２０】
圧電基板と、
１対の対向する電極指である第１、第３、及び第４のＩＤＴ電極を有する入力用ＩＤＴ電極と、
１対の対向する電極指である第２及び第３のＩＤＴ電極を有する出力用ＩＤＴ電極とを備え、
前記第２のＩＤＴ電極は、前記第１、及び前記第４のＩＤＴ電極の間に配置されており、
前記第３のＩＤＴ電極は、前記第１、及び第５のＩＤＴ電極の間に配置されており、
前記第１、第２、第３、第４、及び第５のＩＤＴ電極は、前記圧電基板上に配置されており、
前記第１のＩＤＴ電極の電極指は、第１の電極指ピッチを有し、
前記第２及び前記第３のＩＤＴ電極の電極指は、第２の電極指ピッチを有し、
前記第４及び前記第５のＩＤＴ電極の電極指は、第３の電極指ピッチを有し、
（１）前記第１、第２、及び第３の電極指ピッチは互いに異なっているか、または、（２）前記第１の電極指ピッチは前記第２の電気指ピッチよりも大きく、前記第２の電極指ピッチは前記第３の電気指ピッチよりも大きい弾性表面波フィルタ。
【請求項２１】
前記第１、第２、第３、第４、及び第５のＩＤＴ電極のメタライゼーションレシオが実質上等しい請求項２０記載の弾性表面波フィルタ。
【請求項２２】
圧電基板と、
前記圧電基板上に配置された少なくとも一つの入力用ＩＤＴ電極と、前記圧電基板上に配置された少なくとも一つの出力用ＩＤＴ電極とを有する第１のフィルタトラックと、
前記圧電基板上に配置された少なくとも一つの入力用ＩＤＴ電極と、前記圧電基板上に配置された少なくとも一つの出力用ＩＤＴ電極とを有する第２のフィルタトラックとを備え、
前記第１と前記第２のフィルタトラックは、それぞれ縦結合し、弾性表面波が伝播するそれぞれの方向にそれぞれの前記入力用ＩＤＴ電極と前記出力用ＩＤＴ電極とが配置されており、
前記入力用ＩＤＴ電極は複数の電極指のピッチを有し、
前記出力用ＩＤＴ電極は複数の電極指のピッチを有し、
前記第１及び前記第２のフィルタトラックの各々において、前記入力用ＩＤＴ電極の複数の電極指のピッチのうちで電極指の本数が最も多い電極指のピッチと、前記出力用ＩＤＴ電極の複数の電極指のピッチのうちで電極指の本数が最も多い電極指のピッチが異なっている弾性表面波フィルタ。
【請求項２３】
前記入力用ＩＤＴ電極及び前記出力用ＩＤＴ電極の一方は、１対の対向する電極指である第１、第４、及び第５のＩＤＴ電極を有し、
前記入力ＩＤＴ用電極及び前記出力用ＩＤＴ電極の他方は、１対の対向する電極指である第２、及び第３のＩＤＴ電極を有し、
前記第２及び前記第３のＩＤＴ電極は、前記第１のＩＤＴ電極の両側に配置され、
前記第４のＩＤＴ電極は、前記第２のＩＤＴ電極の前記第１のＩＤＴ電極とは反対側に配置されており、
前記第５のＩＤＴ電極は、前記第３のＩＤＴ電極の前記第１のＩＤＴ電極とは反対側に配置されており、
前記第１、第２、第３、第４及び第５のＩＤＴ電極は弾性表面波の伝播方向に沿って配置されており、
前記第４と第５のＩＤＴ電極からなる群の放射特性のピーク周波数と、前記第２と第３のＩＤＴ電極からなる群の放射特性のピーク周波数は、実質上等しい請求項６記載の弾性表面波フィルタ。
【請求項２４】
圧電基板と、
前記圧電基板上に配置された、少なくとも一つの入力用ＩＤＴ電極と、
前記圧電基板上に配置された、少なくとも一つの出力用ＩＤＴ電極とを備え、
前記入力ＩＤＴ用電極及び前記出力用ＩＤＴ電極が弾性表面波の一つの伝播経路に沿って配置された縦結合モード型の弾性表面波フィルタであって、
前記入力用ＩＤＴ電極及び前記出力ＩＤＴ電極のうち、ＩＤＴ電極の本数がより多い方の電極指のピッチが、電極指の本数のより少ない方の電極指のピッチよりも大きく、
前記入力用ＩＤＴ電極の放射特性のピーク周波数は、前記出力用ＩＤＴ電極の放射特性のピーク周波数と実質上等しい弾性表面波フィルタ。
【手続補正２】
【補正対象書類名】明細書
【補正対象項目名】００１３
【補正方法】変更
【補正の内容】
【００１３】
【課題を解決するための手段】
上述した課題を解決するために、第１の本発明は、圧電基板と、
前記圧電基板上に配置された、少なくとも一つの入力用ＩＤＴ電極と、
前記圧電基板上に配置された、少なくとも一つの出力用ＩＤＴ電極とを備え、
前記入力ＩＤＴ用電極及び前記出力用ＩＤＴ電極が弾性表面波の一つの伝播経路に沿って配置された縦結合モード型の弾性表面波フィルタであって、
前記入力用ＩＤＴ電極は複数の電極指のピッチを有し、
前記出力用ＩＤＴ電極は複数の電極指のピッチを有し、
前記入力用ＩＤＴ電極の複数の電極指のピッチのうちで電極指の本数が最も多い電極指のピッチと、前記出力用ＩＤＴ電極の複数の電極指のピッチのうちで電極指の本数が最も多い電極指のピッチが異なっており、
前記入力用ＩＤＴ電極及び前記出力用ＩＤＴ電極のうち、ＩＤＴ電極の電極指の本数がより多い方の電極指のピッチが、電極指の本数がより少ない方の電極指のピッチより大きい弾性表面波フィルタである。


【手続補正３】
【補正対象書類名】明細書
【補正対象項目名】００１４
【補正方法】変更
【補正の内容】
【００１４】
また、第２の本発明は、前記入力用ＩＤＴ電極は、第１及び第２の電極指のピッチを有し、前記第１の電極指は前記入力用ＩＤＴの複数の電極指のピッチのうちで電極指の本数が最も多い電極指のピッチであり、
前記出力用ＩＤＴ電極は、第３及び第４の電極指のピッチを有し、
前記第３の電極指は前記出力用ＩＤＴの複数の電極指のピッチのうちで電極指の本数が最も多い電極指のピッチである第１の本発明の弾性表面波フィルタである。


【手続補正４】
【補正対象書類名】明細書
【補正対象項目名】００１５
【補正方法】変更
【補正の内容】
【００１５】
また、第３の本発明は、前記第２の電極指のピッチと、前記第４の電極指のピッチが異なっている第２の本願発明の弾性表面波フィルタである。
また、第４の本発明は、圧電基板と、
前記圧電基板上に配置された、少なくとも一つの入力用ＩＤＴ電極と、
前記圧電基板上に配置された、少なくとも一つの出力用ＩＤＴ電極とを備え、
前記入力ＩＤＴ用電極及び前記出力用ＩＤＴ電極は、弾性表面波の一つの伝播経路に沿って配置された縦結合モード型の弾性表面波フィルタであって、
前記入力用ＩＤＴ電極は複数の電極指のピッチを有し、
前記出力用ＩＤＴ電極は複数の電極指のピッチを有し、
前記入力用ＩＤＴ電極の複数の電極指のピッチのうちで電極指の本数が最も多い電極指のピッチを有する部分のメタライゼーションレシオは、前記出力用ＩＤＴ電極の複数の電極指のピッチのうちで電極指の本数が最も多い電極指のピッチを有する部分のメタライゼーションレシオとが異なっている弾性表面波フィルタである。
【手続補正５】
【補正対象書類名】明細書
【補正対象項目名】００１６
【補正方法】変更
【補正の内容】
【００１６】
また、第５の本発明は、前記入力用ＩＤＴ電極及び前記出力用ＩＤＴ電極のうち、ＩＤＴ電極の電極指の本数がより多い方のメタライゼーションレシオが、より少ない方のメタライゼーションレシオより小さい第１の本発明の弾性表面波フィルタである。


【手続補正６】
【補正対象書類名】明細書
【補正対象項目名】００１７
【補正方法】削除
【補正の内容】
【手続補正７】
【補正対象書類名】明細書
【補正対象項目名】００２１
【補正方法】変更
【補正の内容】
【００２１】
また、第９の本発明は、圧電基板と、
前記圧電基板上に配置された少なくとも一つの入力用ＩＤＴ電極と、
前記圧電基板上に配置された少なくとも一つの出力用ＩＤＴ電極とを備え、
前記入力用ＩＤＴ電極及び前記出力用ＩＤＴ電極が弾性表面波の一つの伝播経路に沿って配置される縦モード型弾性表面波フィルタであって、
前記入力用ＩＤＴ電極と前記出力用ＩＤＴ電極のピッチが互いに異なり、
前記入力用ＩＤＴ電極と前記出力用ＩＤＴ電極の電極膜厚が互いに異なっている弾性表面波フィルタである。


【手続補正８】
【補正対象書類名】明細書
【補正対象項目名】００２２
【補正方法】変更
【補正の内容】
【００２２】
また、第１０の本発明は、圧電基板と、
前記圧電基板上に配置された少なくとも一つの入力用ＩＤＴ電極と、
前記圧電基板上に配置された少なくとも一つの出力用ＩＤＴ電極とを備え、
前記入力用ＩＤＴ電極及び前記出力用ＩＤＴ電極が弾性表面波の一つの伝播経路に沿って配置される縦モード型弾性表面波フィルタであって、
前記入力用ＩＤＴ電極と前記出力用ＩＤＴ電極のピッチが互いに異なり、
前記入力用ＩＤＴ電極と前記出力用ＩＤＴ電極の電極材料が互いに異なっている弾性表面波フィルタである。


【手続補正９】
【補正対象書類名】明細書
【補正対象項目名】００２３
【補正方法】変更
【補正の内容】
【００２３】
また、第１１の本発明は、圧電基板と、
前記圧電基板上に配置された少なくとも一つの入力用ＩＤＴ電極と、
前記圧電基板上に配置された少なくとも一つの出力用ＩＤＴ電極とを備え、
前記入力用ＩＤＴ電極及び前記出力用ＩＤＴ電極が弾性表面波の一つの伝播経路に沿って配置される縦モード型弾性表面波フィルタであって、
前記入力用ＩＤＴ電極と前記出力用ＩＤＴ電極のピッチは互いに異なり、
前記入力用ＩＤＴ電極と前記出力用ＩＤＴ電極は、１対の対向する電極指である第１、第２、及び第３のＩＤＴ電極により構成され、
前記第２及び前記第３のＩＤＴ電極は、前記第１のＩＤＴ電極の両側に配置され、
前記第１、前記第２、及び前記第３のＩＤＴ電極は弾性表面波の伝播方向に沿って配置され、
前記第１のＩＤＴ電極のメタライゼーションレシオと、前記第２と前記第３のＩＤＴ電極のメタライゼーションレシオとが実質上等しく、
前記第１のＩＤＴ電極の電極指の本数は、前記第２及び第３の電極指の本数より多い弾性表面波フィルタである。


【手続補正１０】
【補正対象書類名】明細書
【補正対象項目名】００２４
【補正方法】変更
【補正の内容】
【００２４】
また、第１２の本発明は、圧電基板と、
前記圧電基板上に配置された少なくとも一つの入力用ＩＤＴ電極と、
前記圧電基板上に配置された少なくとも一つの出力用ＩＤＴ電極とを備え、
前記入力用ＩＤＴ電極及び前記出力用ＩＤＴ電極が弾性表面波の一つの伝播経路に沿って配置される縦モード型弾性表面波フィルタであって、
前記入力用ＩＤＴ電極と前記出力用ＩＤＴ電極のピッチは互いに異なり、
前記入力用ＩＤＴ電極と前記出力用ＩＤＴ電極は、１対の対向する電極指である第１、第２、及び第３のＩＤＴ電極により構成され、
前記第２及び前記第３のＩＤＴ電極は、前記第１のＩＤＴ電極の両側に配置され、
前記第１、前記第２、及び前記第３のＩＤＴ電極は弾性表面波の伝播方向に沿って配置され、
前記第１のＩＤＴ電極のメタライゼーションレシオと前記第２のＩＤＴ電極のメタライゼーションと前記第３のＩＤＴ電極のメタライゼーションレシオとは、互いに異なっている弾性表面波フィルタである。


【手続補正１１】
【補正対象書類名】明細書
【補正対象項目名】００２６
【補正方法】変更
【補正の内容】
【００２６】
また、第１４の本発明は、圧電基板と、
前記圧電基板上に配置された少なくとも一つの入力用ＩＤＴ電極と、
前記圧電基板上に配置された少なくとも一つの出力用ＩＤＴ電極とを備え、
前記入力用ＩＤＴ電極及び前記出力用ＩＤＴ電極が弾性表面波の一つの伝播経路に沿って配置される縦モード型弾性表面波フィルタであって、
前記入力用ＩＤＴ電極と前記出力用ＩＤＴ電極のピッチは互いに異なり、
前記入力用ＩＤＴ電極と前記出力用ＩＤＴ電極は、１対の対向する電極指である第１、第２、及び第３のＩＤＴ電極により構成され、
前記第２及び前記第３のＩＤＴ電極は、前記第１のＩＤＴ電極の両側に配置され、
前記第１、前記第２、及び前記第３のＩＤＴ電極は弾性表面波の伝播方向に沿って配置され、
前記基板上には、前記第１、第２、及び第３のＩＤＴ電極及び、第１、第２の反射器電極を有するフィルタトラックが複数個形成されており、
前記複数のフィルタトラックは、協同して一つのフィルタとして機能し、
前記複数のフィルタトラックのそれぞれは、前記複数のフィルタトラックのうちの他のフィルタトラックと実質上同じ構成を持つ弾性表面波フィルタである。


【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】変更
【補正の内容】
【００３０】
また、第１７の本発明は、送信波を出力する送信回路と、
受信波を入力する受信回路とを備え、
前記送信回路および／または前記受信回路に第１の本発明の弾性表面波フィルタが用いられている通信機器である。


【手続補正１４】
【補正対象書類名】明細書
【補正対象項目名】００３１
【補正方法】変更
【補正の内容】
【００３１】
また、第１８の本発明は、送信波を出力する送信回路と、
受信波を入力する受信回路とを備え、
前記送信回路および／または前記受信回路に第３の本発明の弾性表面波フィルタが用いられている通信機器である。
また、第１９の本発明は、圧電基板と、
前記圧電基板上に配置された、少なくとも一つの入力用ＩＤＴ電極と、
前記圧電基板上に配置された、少なくとも一つの出力用ＩＤＴ電極とを備え、
前記入力ＩＤＴ用電極及び前記出力用ＩＤＴ電極が弾性表面波の一つの伝播経路に沿って配置された縦結合モード型の弾性表面波フィルタであって、
前記入力用ＩＤＴ電極は複数の電極指のピッチを有し、
前記出力用ＩＤＴ電極は複数の電極指のピッチを有し、
前記入力用ＩＤＴ電極の複数の電極指のピッチのうちで電極指の本数が最も多い電極指のピッチを有する部分の放射特性のピーク周波数は、前記出力用ＩＤＴ電極の複数の電極指のピッチのうちで電極指の本数が最も多い電極指のピッチを有する部分の放射特性のピーク周波数と実質上等しいか、または、
前記入力用ＩＤＴ電極の放射特性のピーク周波数は、前記出力用ＩＤＴ電極の放射特性のピーク周波数と実質上等しい弾性表面波フィルタである。
また、第２０の本発明は、圧電基板と、
１対の対向する電極指である第１、第３、及び第４のＩＤＴ電極を有する入力用ＩＤＴ電極と、
１対の対向する電極指である第２及び第３のＩＤＴ電極を有する出力用ＩＤＴ電極とを備え、
前記第２のＩＤＴ電極は、前記第１、及び前記第４のＩＤＴ電極の間に配置されており、
前記第３のＩＤＴ電極は、前記第１、及び第５のＩＤＴ電極の間に配置されており、
前記第１、第２、第３、第４、及び第５のＩＤＴ電極は、前記圧電基板上に配置されており、
前記第１のＩＤＴ電極の電極指は、第１の電極指ピッチを有し、
前記第２及び前記第３のＩＤＴ電極の電極指は、第２の電極指ピッチを有し、
前記第４及び前記第５のＩＤＴ電極の電極指は、第３の電極指ピッチを有し、
（１）前記第１、第２、及び第３の電極指ピッチは互いに異なっているか、または、（２）前記第１の電極指ピッチは前記第２の電気指ピッチよりも大きく、前記第２の電極指ピッチは前記第３の電気指ピッチよりも大きい弾性表面波フィルタである。
また、第２１の本発明は、前記第１、第２、第３、第４、及び第５のＩＤＴ電極のメタライゼーションレシオが実質上等しい第２０の本発明の弾性表面波フィルタである。
また、第２２の本発明は、圧電基板と、
前記圧電基板上に配置された少なくとも一つの入力用ＩＤＴ電極と、前記圧電基板上に配置された少なくとも一つの出力用ＩＤＴ電極とを有する第１のフィルタトラックと、
前記圧電基板上に配置された少なくとも一つの入力用ＩＤＴ電極と、前記圧電基板上に配置された少なくとも一つの出力用ＩＤＴ電極とを有する第２のフィルタトラックとを備え、
前記第１と前記第２のフィルタトラックは、それぞれ縦結合し、弾性表面波が伝播するそれぞれの方向にそれぞれの前記入力用ＩＤＴ電極と前記出力用ＩＤＴ電極とが配置されており、
前記入力用ＩＤＴ電極は複数の電極指のピッチを有し、
前記出力用ＩＤＴ電極は複数の電極指のピッチを有し、
前記第１及び前記第２のフィルタトラックの各々において、前記入力用ＩＤＴ電極の複数の電極指のピッチのうちで電極指の本数が最も多い電極指のピッチと、前記出力用ＩＤＴ電極の複数の電極指のピッチのうちで電極指の本数が最も多い電極指のピッチが異なっている弾性表面波フィルタである。
また、第２３の本発明は、前記入力用ＩＤＴ電極及び前記出力用ＩＤＴ電極の一方は、１対の対向する電極指である第１、第４、及び第５のＩＤＴ電極を有し、
前記入力ＩＤＴ用電極及び前記出力用ＩＤＴ電極の他方は、１対の対向する電極指である第２、及び第３のＩＤＴ電極を有し、
前記第２及び前記第３のＩＤＴ電極は、前記第１のＩＤＴ電極の両側に配置され、
前記第４のＩＤＴ電極は、前記第２のＩＤＴ電極の前記第１のＩＤＴ電極とは反対側に配置されており、
前記第５のＩＤＴ電極は、前記第３のＩＤＴ電極の前記第１のＩＤＴ電極とは反対側に配置されており、
前記第１、第２、第３、第４及び第５のＩＤＴ電極は弾性表面波の伝播方向に沿って配置されており、
前記第４と第５のＩＤＴ電極からなる群の放射特性のピーク周波数と、前記第２と第３のＩＤＴ電極からなる群の放射特性のピーク周波数は、実質上等しい請求項６記載の弾性表面波フィルタである。
また、第２４の本発明は、圧電基板と、
前記圧電基板上に配置された、少なくとも一つの入力用ＩＤＴ電極と、
前記圧電基板上に配置された、少なくとも一つの出力用ＩＤＴ電極とを備え、
前記入力ＩＤＴ用電極及び前記出力用ＩＤＴ電極が弾性表面波の一つの伝播経路に沿って配置された縦結合モード型の弾性表面波フィルタであって、
前記入力用ＩＤＴ電極及び前記出力ＩＤＴ電極のうち、ＩＤＴ電極の本数がより多い方の電極指のピッチが、電極指の本数のより少ない方の電極指のピッチよりも大きく、
前記入力用ＩＤＴ電極の放射特性のピーク周波数は、前記出力用ＩＤＴ電極の放射特性のピーク周波数と実質上等しい弾性表面波フィルタである。